(57)【要約】      （修正有）【課題】スムーズに開口部を拡開することが可能なパウチ容器を提供する。【解決手段】表面シート１Ａと裏面シートに囲まれた空間が内容物の充填部５１を形成し、充填部に繋がる開口部が、パウチ容器Ａ１上部の表面シートと裏面シートとの間に形成されており、パウチ容器は、さらに、表面シートの内側に設けられた第１シートと２Ａ、裏面シートの内側に設けられた第２シートと、表面シートと第１シートとの間に形成された第１内部空間４Ａと、裏面シートと第２シートとの間に形成された第２内部空間と、第１内部空間に指を挿入可能に形成された第１挿入口５Ａと、第２内部空間に指を挿入可能に形成された第２挿入口と、を備え、第１シートは、上端縁が表面シート１Ａに繋がり、且つ下端縁の少なくとも一部が表面シートに繋がっておらず、第２シートは、上端縁が裏面シートに繋がり、且つ下端縁の少なくとも一部が裏面シートに繋がっていない。【選択図】図７
2019043674.tif 000002
【特許請求の範囲】
【請求項１】
表面シートと裏面シートとを備えるパウチ容器であって、
前記表面シートと前記裏面シートとに囲まれた空間が内容物の充填部を形成し、
前記充填部に繋がる開口部が、前記パウチ容器上部の前記表面シートと前記裏面シートとの間に形成されており、
前記パウチ容器は、さらに、
前記表面シートの内側に設けられた第１シートと、
前記裏面シートの内側に設けられた第２シートと、
前記表面シートと前記第１シートとの間に形成された第１内部空間と、
前記裏面シートと前記第２シートとの間に形成された第２内部空間と、
前記第１内部空間に指を挿入可能に形成された第１挿入口と、
前記第２内部空間に指を挿入可能に形成された第２挿入口と、
を備え、
前記第１シートは、上端縁が前記表面シートに繋がり、且つ下端縁の少なくとも一部が前記表面シートに繋がっておらず、
前記第２シートは、上端縁が前記裏面シートに繋がり、且つ下端縁の少なくとも一部が前記裏面シートに繋がっていない、パウチ容器。
【請求項２】
前記表面シートと前記第１シートとは、第１折り返し部を介して互いの上端縁が繋がっており、
前記裏面シートと前記第２シートとは、第２折り返し部を介して互いの上端縁が繋がっている、請求項１に記載のパウチ容器。
【請求項３】
前記表面シートと前記第１シートとの間に設けられ、且つ下端縁が前記第１シートに繋がった第３シートと、
前記裏面シートと前記第２シートとの間に設けられ、且つ下端縁が前記第２シートに繋がった第４シートと、を備える、請求項１又は２に記載のパウチ容器。
【請求項４】
前記第１シートと前記第３シートとは、第３折り返し部を介して互いの下端縁が繋がっており、
前記第２シートと前記第４シートとは、第４折り返し部を介して互いの下端縁が繋がっている、請求項３に記載のパウチ容器。
【請求項５】
前記第１挿入口及び前記第２挿入口の双方が、容器幅方向から指を挿入可能に形成されている、請求項１ないし４のいずれかに記載のパウチ容器。
【請求項６】
前記第１挿入口は、前記表面シートに第１切り欠き又は第１切り込みにより形成されており、
前記第２挿入口は、前記裏面シートに第２切り欠き又は第２切り込みにより形成されている、請求項１ないし５のいずれかに記載のパウチ容器。
【請求項７】
前記第１切り欠き又は前記第１切り込みは、容器幅方向に向かって凸状に膨らむ曲線で形成されており、
前記第２切り欠き又は前記第２切り込みは、容器幅方向に向かって凸状に膨らむ曲線で形成されている、請求項６に記載のパウチ容器。
【請求項８】
前記開口部を閉じるチャックをさらに備えており、
前記第１シート及び前記第２シートは、前記チャックよりも上方に設けられている、請求項１ないし７のいずれかに記載のパウチ容器。
【発明の詳細な説明】
【技術分野】
【０００１】
本発明は、パウチ容器に関する。
【背景技術】
【０００２】
パウチ容器は、密封性や取り扱い性に優れることから、食料品やトイレタリー製品はもとより、経腸栄養剤や静脈栄養剤、輸液等の容器としても広く用いられている。栄養剤を患者に投与する際に使用される医療用パウチ容器には、栄養剤やその希釈液を注入するための開口部が設けられている。
【０００３】
上記開口部から栄養剤等を注入する場合には、たとえば、容器の開口部周辺を片手で把持しながら開口部を押し広げる。このような作業は不安定であり、作業性の改善が求められている。このような状況に鑑みて、表面シートと裏面シートの外面に固定された軟質プラスチックシートとの間に側方から指を挿入するための貫通路を形成する１対の開閉操作部を備えた医療用パウチ容器が提案されている（特許文献１参照）。
【先行技術文献】
【特許文献】
【０００４】
【特許文献１】特開２０１１−７８７３７号公報
【発明の概要】
【発明が解決しようとする課題】
【０００５】
上記特許文献１に開示されたパウチ容器においては、軟質プラスチックシートの上端縁及び下端縁それぞれが全長に渡って表面シート及び裏面シートに接合されている。このため、一対の開閉操作部を用いて開口部を拡開しようとすると、軟質プラスチックシートと表面シート及び裏面シートとの接合部によって、開口部を拡開するための変形が妨げられることが懸念される。あるいは、開口部を大きく拡開するために指に力を込めると、軟質プラスチックシートと表面シート及び裏面シートとの接合部に過大な力が作用し、接合部が損傷することが懸念される。このような破損は、内容物の漏れや外部からの汚染の原因となるため好ましくない。
【０００６】
本発明は、上記した事情のもとで考え出されたものであって、よりスムーズに開口部を拡開することが可能なパウチ容器を提供することをその課題とする。
【課題を解決するための手段】
【０００７】
本発明によって提供されるパウチ容器は、表面シートと裏面シートとを備えるパウチ容器であって、前記表面シートと前記裏面シートとに囲まれた空間が内容物の充填部を形成し、前記充填部に繋がる開口部が、前記パウチ容器上部の前記表面シートと前記裏面シートとの間に形成されており、前記パウチ容器は、さらに、前記表面シートの内側に設けられた第１シートと、前記裏面シートの内側に設けられた第２シートと、前記表面シートと前記第１シートとの間に形成された第１内部空間と、前記裏面シートと前記第２シートとの間に形成された第２内部空間と、前記第１内部空間に指を挿入可能に形成された第１挿入口と、前記第２内部空間に指を挿入可能に形成された第２挿入口と、を備え、前記第１シートは、上端縁が前記表面シートに繋がり、且つ下端縁の少なくとも一部が前記表面シートに繋がっておらず、前記第２シートは、上端縁が前記裏面シートに繋がり、且つ下端縁の少なくとも一部が前記裏面シートに繋がっていない。
【０００８】
本発明の好ましい実施の形態においては、前記表面シートと前記第１シートとは、第１
折り返し部を介して互いの上端縁が繋がっており、前記裏面シートと前記第２シートとは、第２折り返し部を介して互いの上端縁が繋がっている。
【０００９】
本発明の好ましい実施の形態においては、前記表面シートと前記第１シートとの間に設けられ、且つ下端縁が前記第１シートに繋がった第３シートと、前記裏面シートと前記第２シートとの間に設けられ、且つ下端縁が前記第２シートに繋がった第４シートと、を備える。
【００１０】
本発明の好ましい実施の形態においては、前記第１シートと前記第３シートとは、第３折り返し部を介して互いの下端縁が繋がっており、前記第２シートと前記第４シートとは、第４折り返し部を介して互いの下端縁が繋がっている。
【００１１】
本発明の好ましい実施の形態においては、前記第１挿入口及び前記第２挿入口の双方が、容器幅方向から指を挿入可能に形成されている。
【００１２】
本発明の好ましい実施の形態においては、前記第１挿入口は、前記表面シートに第１切り欠き又は第１切り込みにより形成されており、前記第２挿入口は、前記裏面シートに第２切り欠き又は第２切り込みにより形成されている。
【００１３】
本発明の好ましい実施の形態においては、前記第１切り欠き又は前記第１切り込みは、容器幅方向に向かって凸状に膨らむ曲線で形成されており、前記第２切り欠き又は前記第２切り込みは、容器幅方向に向かって凸状に膨らむ曲線で形成されている。
【００１４】
本発明の好ましい実施の形態においては、前記開口部を閉じるチャックをさらに備えており、前記第１シート及び前記第２シートは、前記チャックよりも上方に設けられている。
【発明の効果】
【００１５】
本発明によれば、前記第１シート及び前記第２シートの下端縁に、前記表面シート及び前記裏面シートに繋がっていない部分が設けられている。指によって前記開口部を拡開する際には、前記表面シート及び前記裏面シートと前記第１シート及び前記第２シートとが、大きく変形する。前記第１シート及び前記第２シートの下端縁は、前記開口部に比較的近い位置に設けられている。仮に、前記第１シート及び前記第２シートの下端縁が全長に渡って前記表面シート及び前記裏面シートに接合されていると、これらの接合部分が、前記開口部を拡開させるための変形を妨げることが懸念される。本発明によれば、前記表面シート及び前記裏面シートと前記第１シート及び前記第２シートとの剛性が不当に高められることを抑制し、より大きな変形を生じやすい。したがって、よりスムーズに前記開口部を拡開することができる。
【００１６】
本発明のその他の特徴及び利点は、添付図面を参照して以下に行う詳細な説明によって、より明らかとなろう。
【図面の簡単な説明】
【００１７】
【図１】本発明の第１実施形態に係るパウチ容器を示す正面図である。
【図２】本発明の第１実施形態に係るパウチ容器を示す背面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【図６】図１のＶＩ−ＶＩ線に沿う断面図である。
【図７】本発明の第１実施形態に係るパウチ容器に指を挿入した状態を示す正面図である。
【図８】図７のＶＩＩＩ−ＶＩＩＩ線に沿う要部断面図である。
【図９】本発明の第１実施形態に係るパウチ容器に指を挿入し開口部を拡開した状態を示す上面図である。
【図１０】本発明の第１実施形態に係るパウチ容器の製造方法の一例を示す要部正面である。
【図１１】本発明の第１実施形態に係るパウチ容器の第１変形例を示す要部正面図である。
【図１２】図１１のＸＩＩ−ＸＩＩ線に沿う要部断面図である。
【図１３】本発明の第１実施形態に係るパウチ容器の第２変形例を示す正面図である。
【図１４】本発明の第１実施形態に係るパウチ容器の第３変形例を示す断面図である。
【図１５】本発明の第１実施形態に係るパウチ容器の第４変形例を示す要部正面図である。
【図１６】図１５のＸＶＩ−ＸＶＩ線に沿う要部断面図である。
【図１７】本発明の第１実施形態に係るパウチ容器の第５変形例を示す要部正面図である。
【図１８】本発明の第１実施形態に係るパウチ容器の第６変形例を示す要部正面図である。
【図１９】本発明の第１実施形態に係るパウチ容器の第７変形例を示す要部正面図である。
【図２０】本発明の第１実施形態に係るパウチ容器の第８変形例を示す要部正面図である。
【図２１】図２０のＸＸＩ−ＸＸＩ線に沿う要部断面図である。
【図２２】本発明の第１実施形態に係るパウチ容器の第９変形例を示す要部正面図である。
【図２３】図２２のＸＸＩＩＩ−ＸＸＩＩＩ線に沿う要部断面図である。
【図２４】本発明の第１実施形態に係るパウチ容器の第１０変形例を示す要部正面図である。
【図２５】図２４のＸＸＶ−ＸＸＶ線に沿う要部断面図である。
【図２６】本発明の第１実施形態に係るパウチ容器の第１１変形例を示す要部正面図である。
【図２７】本発明の第１実施形態に係るパウチ容器の第１２変形例を示す要部正面図である。
【図２８】本発明の第１実施形態に係るパウチ容器の第１３変形例を示す要部正面図である。
【図２９】本発明の第２実施形態に係るパウチ容器を示す要部正面図である。
【図３０】図２９のＸＸＸ−ＸＸＸ線に沿う要部断面図である。
【図３１】本発明の第２実施形態に係るパウチ容器の第１変形例を示す要部正面図である。
【図３２】図３１のＸＸＸＩＩ−ＸＸＸＩＩ線に沿う要部断面図である。
【図３３】本発明の第２実施形態に係るパウチ容器の第２変形例を示す要部正面図である。
【図３４】図３３のＸＸＸＩＶ−ＸＸＸＩＶ線に沿う要部断面図である。
【図３５】本発明の第２実施形態に係るパウチ容器の第３変形例を示す要部正面図である。
【図３６】本発明の第２実施形態に係るパウチ容器の第４変形例を示す要部正面図である。
【図３７】本発明の第２実施形態に係るパウチ容器の第５変形例を示す要部正面図である。
【図３８】本発明の第２実施形態に係るパウチ容器の第６変形例を示す要部正面図である。
【図３９】本発明の第２実施形態に係るパウチ容器の第７変形例を示す要部正面図である。
【図４０】本発明の第２実施形態に係るパウチ容器の第８変形例を示す要部正面図である。
【図４１】本発明の第２実施形態に係るパウチ容器の第９変形例を示す要部正面図である。
【図４２】本発明の第２実施形態に係るパウチ容器の第１０変形例を示す要部正面図である。
【発明を実施するための形態】
【００１８】
以下、本発明の好ましい実施の形態につき、図面を参照して具体的に説明する。
【００１９】
以下、本発明の実施形態の一例について、図面を参照しながら詳細に説明する。図１〜図２８は、第１実施形態及びその変形例を、図２９〜図４２は、第２実施形態をそれぞれ示す。
【００２０】
以下では、パウチ容器に注入される充填物として液状の栄養剤（図示せず）を例示する。但し、充填物は、これに限定されず、例えば、栄養剤を希釈するための水等であってもよく、ゼリー状やペースト状の物であってもよい。本発明のパウチ容器は、内部に栄養液や輸液等の液状物が収容されて栄養剤補給用バッグや輸液バッグ等の医療用バッグとして好適に用いられるが、本発明の構成は医療用途に限定されず、各種食料品等の容器に適用されてもよい。
【００２１】
以下では、あるシートの端縁が他のシートに繋がる構造が記載される。本明細書において「あるシートの端縁が他のシートに繋がる」とは、２つの別体のシート材料が互いに固定された構造と、１つのシート材料が折り返されることにより、２つのシートの間に折り返し部が介在する構造と、を含む概念である。また、シート同士の「固定」は、ヒートシールや接着剤等による接合を含む概念である。
【００２２】
以下では、開口部よりも下方の部分が後述の表面シート１Ａ及び裏面シート１Ｂのみから構成される平パウチを例示するが、スタンディングパウチやサイドガゼットパウチなど、他のパウチ形態に本発明の構成を適用してもよい。なお、これらのガゼットを有するパウチ容器において、当該ガゼット部のシール部に後述の係止部７２を設ける場合は、表面シート１Ａ及び裏面シート１Ｂのいずれかに当該ガゼット部を含む。即ち、表面シート１Ａ及び裏面シート１Ｂの側端部同士を接合して形成される後述の側方シール部６２は、例えば、表面シート１Ａとガゼット部（裏面シート１Ｂの一部）の側端部同士を接合して形成される側方シール部６２をも含むものである。
【００２３】
以下では、便宜上「容器縦方向」を「容器上下方向」とし、後述の開口部５２が形成される「縦方向一端側」を「上」、後述の注出部５４が設けられる「容器縦方向他端側」を「下」として説明する。また、各シートが積層される方向を「容器表裏方向」とし、容器上下方向及び容器表裏方向に直交する方向（容器幅方向）を「容器横方向、又は容器幅方向」として説明する。以下では、単に、上下方向、表裏方向、横方向又は幅方向という場合がある。
【００２４】
＜第１実施形態＞
図１〜図９を参照しつつ、第１実施形態に係るパウチ容器Ａ１について説明する。図１は、パウチ容器Ａ１を示す正面図である。図２は、パウチ容器Ａ１を示す背面図である。図３は、図１のＩＩＩ−ＩＩＩ線に沿う断面図である。図４は、図１のＩＶ−ＩＶ線に沿う断面図である。図５は、図１のＶ−Ｖ線に沿う断面図である。図６は、図１のＶＩ−ＶＩ線に沿う断面図である。図７は、パウチ容器Ａ１に指を挿入した状態を示す正面図である。図８は、図７のＶＩＩ−ＶＩＩ線に沿う要部断面図である。図９は、パウチ容器Ａ１に指を挿入し開口部５２を拡開した状態を示す上面図である。なお、図３〜図６及び図８においては、パウチ容器Ａ１の構造の理解の便宜上、各シートの厚さを誇張することにより模式的に示している。また、図４は、後述の第１舌片１３Ａ及び第２舌片１３Ｂを内側に折返した状態を示している。
【００２５】
パウチ容器Ａ１は、表面シート１Ａ、裏面シート１Ｂ、第１シート２Ａ、第２シート２Ｂ、第３シート３Ａ及び第４シート３Ｂを備えており、第１内部空間４Ａ、第２内部空間４Ｂ、第１挿入口５Ａ、第２挿入口５Ｂ、充填部５１、開口部５２、底シール部６１、一対の側方シール部６２、第１接合部６５Ａ及び第２接合部６５Ｂが形成されている。図示されたパウチ容器Ａ１の正面視形状は、全体として略矩形状であるが、パウチ容器Ａ１の形状はこれに限定されない。例えば、パウチ容器Ａ１の正面視形状は、例えば、円形状、楕円形状、オーバル（卵）形状、三角形（好適には逆三角形）、多角形等の各種形状が採用され得る。
【００２６】
表面シート１Ａ及び裏面シート１Ｂは、表裏方向に互いに重ね合わされており、パウチ容器Ａ１の外面のほとんどを構成している。図１〜図３に示すように、底シール部６１は、表面シート１Ａと裏面シート１Ｂとの下端縁及び下端縁近傍部分を含む下端部同士が接合されることにより形成されている。図１、図２及び図４に示すように、一対の側方シール部６２は、表面シート１Ａと裏面シート１Ｂとの一対の側端縁及び一対の側端縁近傍部分を含む一対の側端部同士が接合されることにより形成されている。なお、側方シール部６２の上部においては、表面シート１Ａと裏面シート１Ｂとの間に第１シート２Ａ、第２シート２Ｂ、第３シート３Ａ及び第４シート３Ｂが挟まれた状態で接合されている。底シール部６１及び一対の側方シール部６２における接合手法は、たとえばヒートシールが好適に用いられる。
【００２７】
充填部５１は、底シール部６１及び一対の側方シール部６２の内端によって正面視形状が規定された、表面シート１Ａと裏面シート１Ｂとによって囲まれた空間である。充填部５１は、栄養剤等の内容物を充填するための部位である。開口部５２は、表面シート１Ａ及び裏面シート１Ｂの非接合部分によって形成されている。開口部５２は、上方に向けて開口しており、充填部５１の上端縁に繋がっている。
【００２８】
パウチ容器Ａ１には、チャック５３が設けられている。チャック５３は、開口部５２を開閉するためのものである。チャック５３が閉じられると、底シール部６１、一対の側方シール部６２及びチャック５３によって充填部５１が密閉される。チャック５３の具体的構成は特に限定されず、図示された例においては、図３に示すように、凸条部付きのシートと、凸条部に嵌合する凹条部付きのシートとが、対向配置された構成である。同図においては、凸条部付きのシートが裏面シート１Ｂの内面に接合されており、凹条部付きのシートが表面シート１Ａの内面に接合されている。
【００２９】
図１及び図２に示すように、パウチ容器Ａ１には、注出部５４が設けられている。注出部５４は、充填部５１に充填された栄養剤を注出するためのものである。注出部５４は、例えば、栓付きのプラスチック管であって、表面シート１Ａ及び裏面シート１Ｂの斜めにカットされた下端縁と側端縁との角部に取り付けられている。注出部５４は、後述の吊り下げ孔７１と対角線方向で対向する角部に設けられている。具体的には、表面シート１Ａと裏面シート１Ｂの間に注出部５４を挟んだ状態で各部材を接合することにより注出シール部６３が形成されており、これにより注出部５４が取り付けられている。
【００３０】
注出部５４には、例えば、長尺状のチューブ（図示略）が取付けられる。このチューブは、充填部５１に連通接続される注出部５４の内側開口部と反対の外側開口部に対して接続される。当該チューブは、従来公知のものが使用可能であって詳しい説明を省略するが、可撓性のチューブであり、必要に応じてチャンバー（点滴筒）やクレンメ（流量調整器）、コネクター等（何れも図示せず）が設けられて、鼻腔等から挿入されて胃や十二指腸等の患者体内（図示せず）に至っている。そして、充填部５１に収容される栄養剤等の内容物が当該チューブを通じて患者の体内に投与される。
【００３１】
図１及び図２に示すように、パウチ容器１０には、吊り下げ孔７１が設けられている。図示された例においては、吊り下げ孔７１は、注出部５４の長手方向の延長線上に配置されている。吊り下げ孔７１は、側方シール部６２の一部を幅広に形成し、当該幅広シール部を表裏方向に打ち抜くことで形成される。パウチ容器Ａ１に充填された栄養剤を患者に投与する際には、吊り下げ孔７１をフック等（図示略）に引っ掛ける。これにより、注出部５４の長手方向が鉛直方向に沿った状態となり、栄養剤を容易に注出することができる。なお、吊下フック等が挿通される吊り下げ孔７１の形状は図示された形状に限定されない。例えば、三角形等にすることにより、パウチ容器Ａ１をスタンド等に懸架した際の、パウチ容器の向きを調節することができる。
【００３２】
また、パウチ容器Ａ１には、一対の係止部７２が設けられている。一対の係止部７２は、側方シール部６２の一部に切り込みが形成されることにより設けられており、吊り下げ孔７１の下方に位置している。なお、係止部７２の個数は、１つでもよいし３つ以上でもよい。係止部７２は、注出部５４に取付けられたチューブを係止することにより、チューブを使用しやすい状態に維持するためのものである。一対の係止部７２は、操作性向上等の観点から、互いに近接して形成されることが好ましく、例えば互いの間隔をチューブの直径の２倍〜５倍程度の長さに設定することが好ましい。また、係止部７２の横方向長さは、チューブの保持性や充填部５１の容量確保等の観点から、好ましくはチューブの直径の１．５倍〜５倍程度、より好ましくはチューブの直径の１．８倍〜３倍程度である。これにより、係止部７２に対して、チューブを湾曲させて挿入するといった煩雑な操作が不要となり、チューブの中間部分を容易に挿入することが可能となる。
【００３３】
図１、図３及び図４に示すように、第１シート２Ａは、表面シート１Ａの上部に重なるように配置されており、表面シート１Ａの内側に設けられている。第１シート２Ａの上端縁は、表面シート１Ａに繋がっている。第１シート２Ａの上端縁が表面シート１Ａに繋がる構造は特に限定されず、図示された例においては第１シート２Ａの上端縁と表面シート１Ａの上端縁とが、第１折り返し部１５Ａを介してそれぞれの全長にわたって繋がっている。すなわち、図示された例においては、表面シート１Ａと第１シート２Ａとは、連続した１枚のシート材料によって形成されている。第１シート２Ａの下端縁は、少なくともその一部が表面シート１Ａに繋がっていない。図示された例においては、第１シート２Ａの下端縁のうち側方シール部６２と後述の第１側方接合部６５２Ａとに含まれる部分が表面シート１Ａに接合によって固定されており、それ以外の部分が表面シート１Ａに繋がっていない。また、第１シート２Ａは、チャック５３よりも上方に設けられている。図示された例においては、図１に示すように、第１シート２Ａの正面視形状は、表面シート１Ａのうちチャック５３よりも上方に位置する部分と略一致している。
【００３４】
図１及び図３に示すように、第３シート３Ａは、表面シート１Ａの上部および第１シート２Ａの下部に重なるように配置されており、表面シート１Ａと第１シート２Ａとの間に設けられている。第３シート３Ａの下端縁は、第１シート２Ａに繋がっている。第３シート３Ａの下端縁が第１シート２Ａに繋がる構造は、特に限定されず、図示された例においては第３シート３Ａの下端縁と第１シート２Ａの下端縁とが、第３折り返し部２５Ａを介してそれぞれの全長にわたって繋がっている。すなわち、図示された例においては、表面シート１Ａ、第１シート２Ａ及び第３シート３Ａは、連続した１枚のシート材料によって形成されている。第３シート３Ａの上端縁は、側方シール部６２と第１側方接合部６５２Ａとに含まれる部分が表面シート１Ａ及び第１シート２Ａに接合によって固定されており、それ以外の部分が表面シート１Ａ及び第１シート２Ａに繋がっていない。また、第３シート３Ａは、チャック５３よりも上方に設けられている。
【００３５】
図１、図４及び図５に示すように、第１接合部６５Ａは、表面シート１Ａ、第１シート２Ａ及び第３シート３Ａのうち少なくとも２つ同士が接合されることにより形成されており、表面シート１Ａ、第１シート２Ａ及び第３シート３Ａのうち少なくとも２つ同士を互いに固定する部分である。第１接合部６５Ａにおける表面シート１Ａ、第１シート２Ａ及び第３シート３Ａの接合手法は特に限定されず、例えばヒートシールや接着剤による接合が挙げられ、本実施形態においては、ヒートシールが採用されている。図示された例においては、第１接合部６５Ａは、第１側方接合部６５２Ａを有する。第１側方接合部６５２Ａは、表面シート１Ａ、第１シート２Ａ及び第３シート３Ａの側端部同士が接合されることにより形成されている。図示された例は、表面シート１Ａの外面が後述のベースフィルム層からなり、内面が後述のシーラント層からなる場合であり、図５に示すように、表面シート１Ａと第１シート２Ａとのシーラント層同士が、ヒートシールによって接合されている。また、第１シート２Ａと第３シート３Ａとのシーラント層同士が、ヒートシールによって接合されている。一方、第３シート３Ａのベースフィルム層が表面シート１Ａと向かい合っており、この部分はヒートシールによって接合されない。図示された例においては、第３シート３Ａに切り欠き３１０Ａが形成されている。この切り欠き３１０Ａを通じて、表面シート１Ａのシーラント層と第１シート２Ａのシーラント層とが接合されている。
【００３６】
図１、図３、図４、図６に示すように、第１内部空間４Ａは、表面シート１Ａと第１シート２Ａとの間に形成された空間であり、開口部５２を拡開して栄養剤を充填部５１に注入する際に指を挿入する空間として使用される。本実施形態においては、表面シート１Ａの内面と第１シート２Ａとによって、第１内部空間４Ａが規定されている。また、本実施形態においては、第１内部空間４Ａ内に、第３シート３Ａが存在する構成となっている。図示された例においては、第１内部空間４Ａの正面視形状は、第１折り返し部１５Ａ、第１側方接合部６５２Ａの内端縁、側方シール部６２の内端縁及び第３折り返し部２５Ａによって規定されている。
【００３７】
図１、図４、図７及び図８に示すように、第１挿入口５Ａは、第１内部空間４Ａに指を挿入可能に形成されたものである。本実施形態においては、第１挿入口５Ａは、容器幅方向から指を挿入可能に形成されている。第１挿入口５Ａを設ける手法は特に限定されず、好ましい手法として切り込み又は切り欠きを形成することが挙げられる。「切り込み」とは、シートを切除しないカット部を意味し、「切り欠き」とは、シートを切除するカット部を意味する。図示された例においては、第１挿入口５Ａは、表面シート１Ａに第１切り込み１２Ａが形成されることによって設けられている。また、図示された例においては、第１切り込み１２Ａは、容器幅方向外方に向かって凸状に膨らむ曲線で形成されている。第１切り込み１２Ａがこのような形状であることにより、表面シート１Ａには、第１舌片１３Ａが形成されている。第１舌片１３Ａは、表面シート１Ａのうち第１切り込み１２Ａと第１切り込み１２Ａの両端を結ぶ仮想線（図１参照、以下第１舌片１３Ａの「付け根線」という）とによって囲まれた部分である。このような構成においては、第１挿入口５Ａは、第１舌片１３Ａに塞がれた格好となっている。図示された例においては、第１切り込み１２Ａの両端を結ぶ仮想線が上下方向に対して若干傾いている。また、好ましくは、第１舌片１３Ａは、内側に折返した状態で表面シート１Ａに接合等によって固定されていてもよい。
【００３８】
図２〜図４に示すように、第２シート２Ｂは、裏面シート１Ｂの上部に重なるように配置されており、裏面シート１Ｂの内側に設けられている。第２シート２Ｂの上端縁は、裏面シート１Ｂに繋がっている。第２シート２Ｂの上端縁が裏面シート１Ｂに繋がる構造は特に限定されず、図示された例においては第２シート２Ｂの上端縁と裏面シート１Ｂの上端縁とが、第２折り返し部１５Ｂを介してそれぞれの全長にわたって繋がっている。すなわち、図示された例においては、裏面シート１Ｂと第２シート２Ｂとは、連続した１枚のシート材料によって形成されている。第２シート２Ｂの下端縁は、少なくともその一部が裏面シート１Ｂに繋がっていない。図示された例においては、第２シート２Ｂの下端縁のうち側方シール部６２と後述の第２側方接合部６５２Ｂとに含まれる部分が裏面シート１Ｂに接合によって固定されており、それ以外の部分が裏面シート１Ｂに繋がっていない。また、第２シート２Ｂは、チャック５３よりも上方に設けられている。図示された例においては、図１に示すように、第２シート２Ｂの正面視形状は、裏面シート１Ｂのうちチャック５３よりも上方に位置する部分と略一致している。
【００３９】
図２及び図３に示すように、第４シート３Ｂは、裏面シート１Ｂの上部および第２シート２Ｂの下部に重なるように配置されており、裏面シート１Ｂと第２シート２Ｂとの間に設けられている。第４シート３Ｂの下端縁は、第２シート２Ｂに繋がっている。第４シート３Ｂの下端縁が第２シート２Ｂに繋がる構造は、特に限定されず、図示された例においては第４シート３Ｂの下端縁と第２シート２Ｂの下端縁とが、第４折り返し部２５Ｂを介してそれぞれの全長にわたって繋がっている。すなわち、図示された例においては、裏面シート１Ｂ、第２シート２Ｂ及び第４シート３Ｂは、連続した１枚のシート材料によって形成されている。第４シート３Ｂの上端縁は、側方シール部６２と第２側方接合部６５２Ｂとに含まれる部分が裏面シート１Ｂ及び第２シート２Ｂに固定されており、それ以外の部分が裏面シート１Ｂ及び第２シート２Ｂに繋がっていない。また、第４シート３Ｂは、チャック５３よりも上方に設けられている。
【００４０】
図２、図４及び図５に示すように、第２接合部６５Ｂは、裏面シート１Ｂ、第２シート２Ｂ及び第４シート３Ｂのうち少なくとも２つ同士が接合されることにより形成されており、裏面シート１Ｂ、第２シート２Ｂ及び第４シート３Ｂのうち少なくとも２つ同士を互いに固定する部分である。第２接合部６５Ｂにおける裏面シート１Ｂ、第２シート２Ｂ及び第４シート３Ｂの接合手法は特に限定されず、例えばヒートシールや接着剤による接合が挙げられ、本実施形態においては、ヒートシールが採用されている。図示された例においては、第２接合部６５Ｂは、第２側方接合部６５２Ｂを有する。第２側方接合部６５２Ｂは、裏面シート１Ｂ、第２シート２Ｂ及び第４シート３Ｂの側端部同士が接合されることにより形成されている。図示された例は、裏面シート１Ｂの外面が後述のベースフィルム層からなり、内面が後述のシーラント層からなる場合であり、図５に示すように、裏面シート１Ｂと第２シート２Ｂとのシーラント層同士が、ヒートシールによって接合されている。また、第２シート２Ｂと第４シート３Ｂとのシーラント層同士が、ヒートシールによって接合されている。一方、第４シート３Ｂのベースフィルム層が裏面シート１Ｂと向かい合っており、この部分はヒートシールによって接合されない。図示された例においては、第４シート３Ｂに切り欠き３１０Ｂが形成されている。この切り欠き３１０Ｂを通じて、裏面シート１Ｂのシーラント層と第２シート２Ｂのシーラント層とが接合されている。
【００４１】
図２、図３、図４、図６に示すように、第２内部空間４Ｂは、裏面シート１Ｂと第２シート２Ｂとの間に形成された空間であり、開口部５２を拡開して栄養剤を充填部５１に注入する際に指を挿入する空間として使用される。本実施形態においては、裏面シート１Ｂの内面と第２シート２Ｂとによって、第２内部空間４Ｂが規定されている。また、本実施形態においては、第２内部空間４Ｂ内に、第４シート３Ｂが存在する構成となっている。図示された例においては、第２内部空間４Ｂの正面視形状は、第２折り返し部１５Ｂ、第２側方接合部６５２Ｂの内端縁、側方シール部６２の内端縁及び第４折り返し部２５Ｂによって規定されている。
【００４２】
図２、図４、図７及び図８に示すように、第２挿入口５Ｂは、第２内部空間４Ｂに指を挿入可能に形成されたものである。本実施形態においては、第２挿入口５Ｂは、容器幅方向から指を挿入可能に形成されている。第２挿入口５Ｂを設ける手法は特に限定されず、好ましい手法として切り込み又は切り欠きを形成することが挙げられる。図示された例においては、第２挿入口５Ｂは、裏面シート１Ｂに第２切り込み１２Ｂが形成されることによって設けられている。また、図示された例においては、第２切り込み１２Ｂは、容器幅方向外方に向かって凸状に膨らむ曲線で形成されている。第２切り込み１２Ｂがこのような形状であることにより、裏面シート１Ｂには、第２舌片１３Ｂが形成されている。第２舌片１３Ｂは、裏面シート１Ｂのうち第２切り込み１２Ｂと第２切り込み１２Ｂの両端を結ぶ仮想線（図２参照、以下第２舌片１３Ｂの「付け根線」という）とによって囲まれた部分である。このような構成においては、第２挿入口５Ｂは、第２舌片１３Ｂに塞がれた格好となっている。図示された例においては、第２切り込み１２Ｂの両端を結ぶ仮想線が上下方向に対して若干傾いている。また、好ましくは、第２舌片１３Ｂは、内側に折返した状態で裏面シート１Ｂに接合等によって固定されていてもよい。
【００４３】
図１及び図２に図示された例においては、第１切り込み１２Ａ及び第２切り込み１２Ｂは、幅方向外方に向かって凸状に膨らむ曲線と、当該曲線の両端から幅方向内方を経由して上下方向両側に回り込む一対の曲線とを含んでいる。なお、図示された例においては、第１切り込み１２Ａと第２切り込み１２Ｂとは、互いの形状、大きさ及び幅方向に対する角度等が同じであるが、このような構成に限定されず、互いの形状、大きさ及び幅方向に対する角度等の少なくともいずれかが異なっていてもよい。
【００４４】
図示された例においては、表面シート１Ａ及び裏面シート１Ｂの外面がベースフィルム層からなり、内面がシーラント層からなる場合であることから、図１、図２、図４及び図６に示すように、第１シート２Ａのうち側方シール部６２を構成する部分に２つの貫通孔２１０Ａが形成されており、第２シート２Ｂのうち側方シール部６２を構成する部分に２つの貫通孔２１０Ｂが形成されている。また、第３シート３Ａのうち側方シール部６２を構成する部分に２つの切り欠き３１０Ａが形成されており、第４シート３Ｂのうち側方シール部６２を構成する部分に２つの切り欠き３１０Ｂが形成されている。図４によく表れているように、貫通孔２１０Ａ及び貫通孔２１０Ｂを通じて、表面シート１Ａのシーラント層と裏面シート１Ｂのシーラント層とがヒートシールによって接合されている。また、図６に示すように、切り欠き３１０Ａを通じて、表面シート１Ａのシーラント層と第１シート２Ａのシーラント層とがヒートシールによって接合されており、切り欠き３１０Ｂを通じて、裏面シート１Ｂのシーラント層と第２シート２Ｂのシーラント層とがヒートシールによって接合されている。
【００４５】
図１及び図２に示す例においては、側方シール部６２の下方部分が、幅方向外方に突出した形状である。側方シール部６２の上方部分は、相対的に幅方向内方に位置しており、この部分に第１側方接合部６５２Ａ及び第２側方接合部６５２Ｂが繋がっている。このため、第１側方接合部６５２Ａ及び第２側方接合部６５２Ｂ（第１内部空間４Ａ及び第２内部空間４Ｂ）は、側方シール部６２の下方部分よりも幅方向内方に位置する部分を有している。
【００４６】
パウチ容器Ａ１を構成する各シートは、通常、樹脂フィルムから構成される。シートを構成する樹脂フィルムには、耐衝撃性、耐磨耗性、及び耐熱性など、包装体としての基本的な性能を備えることが要求される。また、上記各シール部及び上記接合部は、通常、ヒートシールにより形成されるので、シートにはヒートシール性も要求される。シートとしては、ベースフィルム層と、ヒートシール性を付与するシーラント層とを有する複層シートが好適であり、高いガスバリア性や遮光性が要求される場合には、ベースフィルム層と
シーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。また、シートの両面にヒートシール性を付与する場合は、後述のシーラント層を形成する単層フィルムを用いてもよいし、複層シートの場合は、同種又は異種のシーラント層を二層有するか（このとき、シーラント層の一層を形式的にベースフィルム層として用いることになる）、或いはベースフィルム層の両面にシーラント層を有するシートを用いてもよい。本実施形態では、表面シート１Ａ及び裏面シート１Ｂとして、外面がベースフィルム層からなり内面がシーラント層からなる複層シートが使用されている。図示された例においては、表面シート１Ａ、第１シート２Ａ及び第３シート３Ａが１枚のシートからなるため、第１シート２Ａ及び第３シート３Ａのうち表面シート１Ａの外面に繋がる面がベースフィルム層からなり、表面シート１Ａの内面に繋がる面がシーラント層からなる。また、裏面シート１Ｂ、第２シート２Ｂ及び第４シート３Ｂが１枚のシートからなるため、第２シート２Ｂ及び第４シート３Ｂのうち裏面シート１Ｂの外面に繋がる面がベースフィルム層からなり、内面に繋がる面がシーラント層からなる。
【００４７】
ここで、ベースフィルム層、シーラント層、及びガスバリア層の構成材料を例示する。なお、これら各層の積層は、慣用のラミネート法、例えば、接着剤によるドライラミネーション、熱接着性層を挟んで熱により接着させる熱ラミネーションなどにより行うことができる。
【００４８】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、及びポリエーテルスルフォン（ＰＥＳ）等から構成される一層又は二層以上の延伸又未延伸フィルムが例示できる。
【００４９】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又未延伸フィルムが例示できる。
【００５０】
ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００５１】
表面シート１Ａ又は裏面シート１Ｂには、例えば、栄養剤の液量を計測するための目盛り（図示せず）を設けることが好適である。なお、目盛りの他にも、商品名や原材料、使用上の注意事項などを表示する印刷層を設けてもよい。
【００５２】
次に、図１０を参照しつつ、パウチ容器Ａ１の製造方法の一例について説明する。図１０は、パウチ容器Ａ１の製造方法の一例の一工程を示しており、各シートの長尺体を積層し、各シール部を形成する工程を模式的に示す要部正面図である。
【００５３】
図１０に示すように、まず、表面シート１Ａ、第１シート２Ａ及び第３シート３Ａとなる長尺体１Ａｚ、裏面シート１Ｂ、第２シート２Ｂ及び第４シート３Ｂとなる長尺体１Ｂｚ、チャック５３となる長尺体５３ｚをそれぞれ準備する。同図右端から続く部分を参照して、長尺体１Ｂｚの折り返し工程を説明する。なお、この工程は、長尺体１Ａｚについても同様である。
【００５４】
図示された例においては、長尺体１Ｂｚに第２切り込み１２Ｂ、貫通孔２１０Ｂ、貫通孔３２０Ｂを予め形成しておく。横長の貫通孔３２０Ｂは、後の工程において吊り下げ孔７１が形成されることにより、２つの切り欠き３１０Ｂとなる部分である。次いで、長尺体１Ａｚに設定された折返し線１８Ｂｚに沿って、長尺体１Ｂｚを折り返す。これにより、第２折り返し部１５Ｂと長尺体２Ｂｚとが形成される。次いで、折返し線１８Ｂｚよりも長尺体１Ｂｚの上端縁寄りに設定された折返し線１９Ｂｚに沿って、長尺体１Ｂｚを折り返す。これにより、第４折り返し部２５Ｂと長尺体３Ｂｚとが形成される。
【００５５】
長尺体１Ａｚについても同様の折り返し工程を行うことにより、長尺体２Ａｚ、長尺体３Ａｚ、第１折り返し部１５Ａ及び第３折り返し部２５Ａが形成される。長尺体５３ｚは、上述した凸条部と凹条部とが嵌合した状態で積層されており、上下方向において長尺体２Ａｚ，３Ａｚ，２Ｂｚ，３Ｂｚを避けた、長尺体１Ａｚと長尺体１Ｂｚとの間に積層される。
【００５６】
次いで、折り返した長尺体１Ａｚ，１Ｂｚを積層させる積層工程を経た上記各長尺体には、ヒートシール工程でシール部６ｚ、６５Ａｚ、６５Ｂｚが形成される。ヒートシール工程では、例えば、長尺体５３ｚよりも下方の領域において、充填部５１となるべき領域や注出部５４を取り付けるための部分を残して、長尺体１Ａｚと長尺体１Ｂｚとをヒートシールする。また、長尺体５３ｚを含む領域及び長尺体５３ｚよりも上方の領域においては、長尺体１Ａｚ、１Ｂｚ，２Ａｚ，２Ｂｚ，３Ａｚ，３Ｂｚを一体的に接合すべき部分（各パウチ容器Ａ１の正面視左上部分）をヒートシールする。これにより、シール部６ｚが形成される。また、長尺体１Ａｚ，２Ａｚ，３Ａｚの所定部分同士をヒートシールすることにより、シール部６５Ａｚが形成され、長尺体１Ｂｚ，２Ｂｚ，３Ｂｚの所定部分同士をヒートシールすることにより、シール部６５Ｂｚが形成される。
【００５７】
続いて、ダイカットロール等を用いて、例えば、切断線ＣＬに沿って上記長尺体をカットし、個々の容器サイズに分割する。なお、上記ヒートシール及び当該カットは同時に行なわれてもよい。このとき又は別工程で、吊り下げ孔７１及び係止部７２が形成される。これにより、第１挿入口５Ａ及び第２挿入口５Ｂから第１内部空間４Ａ及び第２内部空間４Ｂに指が挿入可能な構造が得られる。最後に、注出部５４を挿入し注出シール部６３を形成することにより、パウチ容器Ａ１が得られる。
【００５８】
次に、図７〜図９に示すパウチ容器Ａ１の使用状態の一例を参照しつつ、パウチ容器Ａ１の作用について説明する。
【００５９】
パウチ容器Ａ１の開口部５２から充填部５１に栄養剤を注入する際には、例えば、片手（以下、右手とする）でパウチ容器Ａ１を保持しながらチャック５３を開けて開口部５２を広げる。まず初めに、図７及び図８に示すように、第１内部空間４Ａに親指を挿入し、第２内部空間４Ｂには人差し指を挿入してパウチ容器Ａ１を保持する。このとき、親指と人差し指は、容器幅方向から第１挿入口５Ａ及び第２挿入口５Ｂを通って第１内部空間４Ａ及び第２内部空間４Ｂに挿入される。第１挿入口５Ａ及び第２挿入口５Ｂは、第１切り込み１２Ａ及び第２切り込み１２Ｂによって構成されており、第１舌片１３Ａ及び第２舌片１３Ｂが形成されている。親指及び人差し指の挿入に際しては、予め或いは挿入に伴って、第１舌片１３Ａ及び第２舌片１３Ｂを内側に折返し、第１内部空間４Ａ及び第２内部空間４Ｂ内に位置させる。これにより、第１挿入口５Ａ及び第２挿入口５Ｂから指をスムーズに挿入することができる。なお、第１挿入口５Ａ及び第２挿入口５Ｂと第１内部空間４Ａ及び第２内部空間４Ｂとの形状や大きさを適宜設定することにより、第１挿入口５Ａ及び第２挿入口５Ｂの少なくともいずれかから複数の指を挿入してもよい。たとえば、第１挿入口５Ａから右手親指を挿入し、第２挿入口５Ｂから右手人差し指及び中指を挿入してもよい。
【００６０】
続いて、図９に示すように、第１内部空間４Ａ及び第２内部空間４Ｂ内に挿入された親指と人差し指との間隔を開けることによりチャック５３を外して開口部５２を広げる。即ち、親指を表側に動かし、人差し指を裏側に動かす。親指と人差し指の間隔をさらに広げることで、開口部５２をより大きく広げることができる。なお、図９においては、理解の便宜上、第１シート２Ａ又は第１シート２Ａのみに隠れた部分を実線の細線で示しており、第１シート２Ａ又は第２シート２Ｂと表面シート１Ａ又は裏面シート１Ｂとに隠れた部分を陰線（点線の細線）で示している。
【００６１】
続いて、親指と人差し指の間隔を開けて開口部５２を大きく広げた状態で、栄養剤の注入を開始する。親指と人差し指との間隔を開けておくだけで開口状態が維持されるので、例えば、栄養剤を注入する器具をチャック５３付近まで近づけて注入でき、且つ注入作業中に開口部５２が閉じて栄養剤が零れることを防止できる。
【００６２】
また、図９に示すように、親指と人差し指によって開口部５２を拡開する際には、表面シート１Ａ及び裏面シート１Ｂと第１シート２Ａ及び第２シート２Ｂとが、大きく変形する。第１シート２Ａ及び第２シート２Ｂの下端縁は、開口部５２に比較的近い位置に設けられている。第１シート２Ａ及び第２シート２Ｂの下端縁が全長に渡って表面シート１Ａ及び裏面シート１Ｂに接合されていると、これらの接合部分が、開口部５２を拡開させるための変形を妨げることが懸念される。本実施形態においては、第１シート２Ａ及び第２シート２Ｂの下端縁が、側方シール部６２と第１側方接合部６５２Ａ及び第２側方接合部６５２Ｂとの間において表面シート１Ａ及び裏面シート１Ｂに繋がっていない。このため、表面シート１Ａ及び裏面シート１Ｂと第１シート２Ａ及び第２シート２Ｂとの剛性が不当に高められることを抑制し、より大きな変形を生じやすい。したがって、よりスムーズに開口部５２を拡開することができる。
【００６３】
また、第１シート２Ａ及び第２シート２Ｂの下端縁が、全長に渡って表面シート１Ａ及び裏面シート１Ｂに繋がっていると、開口部５２を拡開する際に第１シート２Ａ及び第２シート２Ｂの下端縁が大きく変形することに伴って、第１シート２Ａ及び第２シート２Ｂの下端縁が表面シート１Ａ及び裏面シート１Ｂに繋がる部分に過大な力が作用しうる。この力によって、当該部分が損傷するおそれがある。本実施形態においては、第１シート２Ａ及び第２シート２Ｂの下端縁が表面シート１Ａ及び裏面シート１Ｂに繋がっていない部分を有する。この繋がっていない部分が、過大な力が生じることを緩和する機能を果たすことにより、接合部分の損傷を回避することができる。
【００６４】
本実施形態においては、図３に示すように、表面シート１Ａ及び第１シート２Ａの間に第３シート３Ａが設けられており、裏面シート１Ｂ及び第２シート２Ｂの間に第４シート３Ｂが設けられている。第３シート３Ａの下端縁は、第１シート２Ａの下端縁に繋がっており、第４シート３Ｂの下端縁は、第１シート２Ａの下端縁に繋がっている。このため、第１内部空間４Ａ及び第２内部空間４Ｂ挿入された指に、栄養剤の飛沫等が向かってくると、第３シート３Ａ及び第４シート３Ｂによってこの飛沫が指に付着することを抑制することができる。特に本実施形態においては、第３シート３Ａ及び第４シート３Ｂの下端縁が、第３折り返し部２５Ａ及び第４折り返し部２５Ｂを介して、全長に渡って第１シート２Ａ及び第２シート２Ｂに繋がっている。これは、飛沫等の付着を防止するのに好ましい。
【００６５】
また、第１内部空間４Ａ及び第２内部空間４Ｂには、第１挿入口５Ａ及び第２挿入口５Ｂを通じて幅方向から指が挿入される。このため、図８及び図９に示すように、親指や人差し指を、第１内部空間４Ａ及び第２内部空間４Ｂの幅方向内方へと挿入することが可能である。これは、開口部５２を拡開させる動作を行うのに便利である。
【００６６】
栄養剤等の液状物を充填部５１へ注入した後に、チャック５３を閉状態とすることにより、充填部５１を密封状態とすることができる。これにより、パウチ容器Ａ１の上部からの液状物の漏出が防ぎ得ると共に、液状物が細菌等に汚染されるおそれを低減させることができる。
【００６７】
なお、本実施形態においては、第１挿入口５Ａ及び第２挿入口５Ｂに右手の指を挿入する場合を例に説明したが、左手の指を挿入してもよい。また、表面シート１Ａ及び裏面シート１Ｂ等の形状によっては、幅方向一方に右手用の第１挿入口５Ａ及び第２挿入口５Ｂを設け、幅方向他方に左手用の第１挿入口５Ａ及び第２挿入口５Ｂをさらに設けてもよい。この点は、以降の実施形態においても同様である。
【００６８】
以上のように、パウチ容器Ａ１によれば、第１シート２Ａ及び第２シート２Ｂの下端縁が表面シート１Ａ及び裏面シート１Ｂに繋がっていない部分を有する。このため、表面シート１Ａ及び裏面シート１Ｂと第１シート２Ａ及び第２シート２Ｂとの剛性が不当に高められることを抑制し、より大きな変形を生じやすい。したがって、よりスムーズに開口部５２を拡開することができる。
【００６９】
図１１〜図４２は、本発明の変形例及び他の実施形態を示している。なお、これらの図において、上記実施形態と同一又は類似の要素には、上記実施形態と同一の符号を付している。なお、図１１、図１３、図１５、図１７〜図２０、図２２、図２４及び図２６〜図２８は、パウチ容器Ａ１の変形例を正面からみた図であり、主に表面シート１Ａ、第１シート２Ａ、第３シート３Ａ及びこれらの関連箇所を具体的に説明するが、同様の構成は、背面から見た場合の裏面シート１Ｂ、第２シート２Ｂ、第４シート３Ｂ及びこれらの関連箇所に適宜採用可能である。裏面シート１Ｂ、第２シート２Ｂ、第４シート３Ｂ及びこれらの関連箇所の構成は、表面シート１Ａ、第１シート２Ａ、第３シート３Ａ及びこれらの関連箇所の構成と同一であってもよいし、異なっていてもよい。
【００７０】
＜第１実施形態  第１変形例＞
図１１及び図１２は、パウチ容器Ａ１の第１変形例を示している。本変形例のパウチ容器Ａ１ａにおいては、表面シート１Ａと第１シート２Ａとが互いに別体のシートによって構成されており、裏面シート１Ｂと第２シート２Ｂとが互いに別体のシートによって構成されている。そして、第１接合部６５Ａが、第１上方接合部６５１Ａを有し、第２接合部６５Ｂが第２上方接合部６５１Ｂを有する。第１上方接合部６５１Ａは、表面シート１Ａと第１シート２Ａとの上端縁及び上端縁近傍部分を含む上端部同士が接合されることにより形成されている。第２上方接合部６５１Ｂは、裏面シート１Ｂ及び第２シート２Ｂの上端部同士が接合されることにより形成されている。また、同様に、第２接合部６５Ｂが第２上方接合部６５１Ｂを有している。本変形例から理解されるように、本発明において第１シート２Ａが表面シート１Ａに繋がっているという構成や、第２シート２Ｂが裏面シート１Ｂに繋がっているという構成は、第１折り返し部１５Ａや第２折り返し部１５Ｂを介して繋がっている構成や、第１上方接合部６５１Ａや第２上方接合部６５１Ｂによって互いに接合されること等により互いに固定された構成を含む概念である。また、本実施形態においては、第１シート２Ａ及び第３シート３Ａを構成するシートの両面と、第２シート
２Ｂ及び第４シート３Ｂを構成するシートの両面とが、シーラント層によって形成されていてもよい。この場合、図１及び図２に示す貫通孔２１０Ａ、貫通孔２１０Ｂ、切り欠き３１０Ａ及び切り欠き３１０Ｂを適宜省略することができる。
【００７１】
＜第１実施形態  第２変形例＞
図１３は、パウチ容器Ａ１の第２変形例を示している。本変形例のパウチ容器Ａ１ｂにおいては、注出部５４及び注出シール部６３が、幅方向略中央に設けられている。また、これに対応して、吊り下げ孔７１は、注出部５４の直上に設けられている。底シール部６１は、注出部５４が設けられている下方が最も下方に位置するように下方に凸状に湾曲した形状である。本変形例から理解されるように、パウチ容器Ａ１に取付けられる注出部５４の位置や、吊り下げられた場合のパウチ容器Ａ１の姿勢は、任意に設定することができる。
【００７２】
＜第１実施形態  第３変形例＞
図１４は、パウチ容器Ａ１の第３変形例を示している。本変形例のパウチ容器Ａ１ｃは、チャック５３よりも上方において、表面シート１Ａ、第１シート２Ａ及び第３シート３Ａと裏面シート１Ｂ、第２シート２Ｂ及び第４シート３Ｂとが、幅方向全長にわたって離れている。すなわち、本変形例の側方シール部６２は、チャック５３よりも下方にのみ形成されている。そして、表面シート１Ａ、第１シート２Ａ及び第３シート３Ａの幅方向両端部は、一対の第１側方接合部６５２Ａによって接合されている。また、裏面シート１Ｂ、第２シート２Ｂ及び第４シート３Ｂの両端部は、一対の第２側方接合部６５２Ｂによって接合されている。
【００７３】
＜第１実施形態  第４変形例＞
図１５及び図１６は、パウチ容器Ａ１の第４変形例を示している。本変形例のパウチ容器Ａ１ｄにおいては、第１内部空間４Ａ及び第１挿入口５Ａを挟んで、幅方向両側に一対の第１側方接合部６５２Ａが設けられており、第２内部空間４Ｂ及び第２挿入口５Ｂを挟んで、幅方向両側に一対の第２側方接合部６５２Ｂが設けられて。図中左方の第１側方接合部６５２Ａは、比較的大面積であり、第１シート２Ａの幅方向左側略半分を占めている。第２側方接合部６５２Ｂについても、同様の構成である。このような変形例においては、第１内部空間４Ａ及び第２内部空間４Ｂに挿入された指による拡開の動作を、大面積の第１側方接合部６５２Ａ及び第２側方接合部６５２Ｂによって、表面シート１Ａ、裏面シート１Ｂ、第１シート２Ａ及び第２シート２Ｂの幅方向反対側の領域により確実に伝達することが可能である。なお、本変形例においても、第１シート２Ａ及び第２シート２Ｂは、第１内部空間４Ａ及び第２内部空間４Ｂの直下において、第１シート２Ａの下端縁及び第２シート２Ｂの下端縁が表面シート１Ａ及び裏面シート１Ｂに繋がっていない部分を有している。また、本変形例から理解されるように、第１接合部６５Ａ及び第２接合部６５Ｂの形状等は、種々に変更可能である。
【００７４】
＜第１実施形態  第５変形例＞
図１７は、パウチ容器Ａ１の第５変形例を示している。本変形例のパウチ容器Ａ１ｅにおいては、第１切り込み１２Ａが、上下方向に対して若干傾いた直線形状とされている。このため、表面シート１Ａには、パウチ容器Ａ１における第１舌片１３Ａが設けられていない。このような変形例においても、第１挿入口５Ａを通じて幅方向から指を第１内部空間４Ａに挿入することができる。
【００７５】
＜第１実施形態  第６変形例＞
図１８は、パウチ容器Ａ１の第６変形例を示している。本変形例のパウチ容器Ａ１ｆは、第１挿入口５Ａが第１切り欠き１１Ａによって構成されている。第１切り欠き１１Ａは、表面シート１Ａが部分的に切除されたカット部であり、正面視において開口している。また、本変形例の第１切り欠き１１Ａは、上下方向を長手方向とする細長楕円形状である。このような変形例においても、第１挿入口５Ａを通じて幅方向から指を第１内部空間４Ａに挿入することができる。
【００７６】
＜第１実施形態  第７変形例＞
図１９は、パウチ容器Ａ１の第７変形例を示している。本変形例のパウチ容器Ａ１ｇは、第１挿入口５Ａを構成する第１切り込み１２Ａの両端を結ぶ仮想線が幅方向に沿っている。これにより、第１挿入口５Ａは、下方から指を挿入可能な構成となっている。このような変形例によれば、下方から挿入された指は、第１内部空間４Ａにおいて上下方向に沿う姿勢となる。これにより、パウチ容器Ａ１ｇが幅方向にずれることを抑制することができる。
【００７７】
＜第１実施形態  第８変形例＞
図２０及び図２１は、パウチ容器Ａ１の第８変形例を示している。本変形例のパウチ容器Ａ１ｈにおいては、表面シート１Ａ及び裏面シート１Ｂには、第１挿入口５Ａ及び第２挿入口５Ｂを構成するための切り欠きや切り込みが形成されていない。本変形例においては、吊り下げ孔７１が形成された側方シール部６２とは幅方向で反対側に位置する表面シート１Ａ及び第１シート２Ａの側端部端同士が互いに固定されておらず、当該部分の隙間によって第１挿入口５Ａが構成されている。また、吊り下げ孔７１が形成された側方シール部６２とは幅方向で反対側に位置する裏面シート１Ｂ及び第２シート２Ｂの側端部端同士が互いに固定されておらず、当該部分の隙間によって第２挿入口５Ｂが構成されている。
【００７８】
このような変形例によれば、表面シート１Ａ及び裏面シート１Ｂに切り欠きや切り込みを形成することなく、第１挿入口５Ａ及び第２挿入口５Ｂを設けることが可能である。また、本変形例から理解されるように、第１内部空間４Ａ及び第２内部空間４Ｂに通じる第１挿入口５Ａ及び第２挿入口５Ｂを設ける手法は、表面シート１Ａ及び裏面シート１Ｂに切り欠きや切り込みを設ける手法に限定されず、種々の手法を用いることができる。
【００７９】
＜第１実施形態  第９変形例＞
図２２及び図２３は、パウチ容器Ａ１の第９変形例を示している。本変形例のパウチ容器Ａ１ｉにおいては、第１接合部６５Ａが第１下方接合部６５４Ａをさらに有している。第１下方接合部６５４Ａは、第３シート３Ａの一部と表面シート１Ａとが接合された部分である。第１下方接合部６５４Ａは、第１挿入口５Ａよりも下方に位置している。図示された例においては、第１下方接合部６５４Ａは、第３シート３Ａの幅方向略中央に設けられている。また、第１下方接合部６５４Ａは、点形状であり、図示された例においては、矩形状である。なお、第１下方接合部６５４Ａの形状は、矩形状以外の多角形状や円形状等であってもよい。第１下方接合部６５４Ａを形成する接合方法は特に限定されず、ヒートシールや接着剤等を適宜採用すればよい。図示された例においては、第１下方接合部６５４Ａは、接着剤を用いることによって形成されている。また、同様に、第２接合部６５Ｂが、第２下方接合部６５４Ｂを有している。
【００８０】
このような変形例によれば、第１下方接合部６５４Ａ及び第３シート３Ａを介して第１シート２Ａの下端部の一部が表面シート１Ａに固定されている。これにより、開口部５２を拡開する際に、表面シート１Ａと第１シート２Ａとが、極端に離れすぎてしまうことを回避することが可能であり、栄養剤の飛沫等が指に付着することを抑制することができる。また、第３シート３Ａの幅方向における一部のみが第１下方接合部６５４Ａによって表面シート１Ａに接合されているため、開口部５２を拡開する際に、表面シート１Ａ、第１シート２Ａ及び第３シート３Ａの変形が不当に妨げられることを回避することができる。
【００８１】
＜第１実施形態  第１０変形例＞
図２４及び図２５は、パウチ容器Ａ１の第１０変形例を示している。本変形例のパウチ容器Ａ１ｊにおいては、第１接合部６５Ａが第１中間接合部６５３Ａをさらに有している。第１中間接合部６５３Ａは、第１シート２Ａの一部と表面シート１Ａとが接合された部分である。第１中間接合部６５３Ａは、上下方向において第１挿入口５Ａと略同じ位置に設けられている。図示された例においては、第１中間接合部６５３Ａは、第１シート２Ａの幅方向略中央に設けられている。また、第１中間接合部６５３Ａは、点形状であり、図示された例においては、矩形状である。なお、第１中間接合部６５３Ａの形状は、矩形状以外の多角形状や円形状等であってもよい。第１中間接合部６５３Ａを形成する接合方法は特に限定されず、ヒートシールや接着剤等を適宜採用すればよい。図示された例においては、第１中間接合部６５３Ａは、接着剤を用いることによって形成されている。また、同様に、第２接合部６５Ｂが、第２中間接合部６５３Ｂを有している。
【００８２】
このような変形例によれば、第１中間接合部６５３Ａを介して第１シート２Ａの一部が表面シート１Ａに固定されている。これにより、開口部５２を拡開する際に、表面シート１Ａと第１シート２Ａとが、極端に離れすぎてしまうことを抑制することが可能であり、栄養剤の飛沫等が指に付着することを抑制することができる。また、第１シート２Ａの幅方向における一部のみが第１中間接合部６５３Ａによって表面シート１Ａに接合されているため、開口部５２を拡開する際に、表面シート１Ａ及び第１シート２Ａの変形が不当に妨げられることを回避することができる。
【００８３】
＜第１実施形態  第１１変形例＞
図２６は、パウチ容器Ａ１の第１１変形例を示している。本変形例のパウチ容器Ａ１ｋは、上述のパウチ容器Ａ１ａと同様に第１接合部６５Ａが第１上方接合部６５１Ａを有する。そして、第１上方接合部６５１Ａに途絶部６５１１Ａが形成されている。途絶部６５１１Ａは、ヒートシールが施されていない部分である。このため、途絶部６５１１Ａを挟んで幅方向両側に位置する第１上方接合部６５１Ａよりも、途絶部６５１１Ａは、剛性が低い部分となっている。また、第２上方接合部６５１Ｂにも、途絶部６５１１Ａと同様の途絶部が形成されている。途絶部６５１１Ａの位置は特に限定されず、図示された例においては、たとえば、第１挿入口５Ａ及び第２挿入口５Ｂから挿入された親指や人差し指の指先が届かない位置、たとえば、第１挿入口５Ａ及び第２挿入口５Ｂと表面シート１Ａ及び裏面シート１Ｂの幅方向他端縁との中間に形成されている。
【００８４】
途絶部６５１１Ａが設けられることにより、パウチ容器Ａ１ｋは、図示された上下方向に延びる折り曲げ容易線ＦＬに沿って折り曲げやすい構造となっている。これにより、開口部５２を拡開する際に、折り曲げ容易線ＦＬに沿うように表面シート１Ａ、第１シート２Ａ、第３シート３Ａ、裏面シート１Ｂ、第２シート２Ｂ、第２シート２Ｂ及び第４シート３Ｂを折り曲げることが可能であり、これらのシートが意図しない位置で折れ曲がってしまうことを回避することができる。
【００８５】
＜第１実施形態  第１２変形例＞
図２７は、パウチ容器Ａ１の第１２変形例を示している。本変形例のパウチ容器Ａ１ｍにおいては、第１上方接合部６５１Ａに切り欠き部６５１２Ａが形成されている。切り欠き部６５１２Ａは、部分的にヒートシールされていない箇所である。第１上方接合部６５１Ａは、切り欠き部６５１２Ａにおける上下方向寸法が、切り欠き部６５１２Ａに隣接する部分の上下方向寸法よりも小さく、剛性が低い部分となっている。切り欠き部６５１２Ａが設けられることによっても、折り曲げ容易線ＦＬが設定されるため、パウチ容器Ａ１ｍを拡開する際に、折り曲げ容易線ＦＬに沿うように表面シート１Ａ及び裏面シート１Ｂを折り曲げることが可能である。
【００８６】
＜第１実施形態  第１３変形例＞
図２８は、パウチ容器Ａ１の第１３変形例を示している。本変形例のパウチ容器Ａ１ｎにおいては、第１上方接合部６５１Ａに段差部６５１３Ａが形成されている。段差部６５１３Ａは、第１上方接合部６５１Ａの上下方向寸法が急峻に変化している部分であり、図示された例においては、段差部６５１３Ａよりも幅方向右方の部分が、幅方向左方の部分よりも上下方向寸法が大きい。このような段差部６５１３Ａが形成されることによっても、図示された折り曲げ容易線ＦＬが設定されるため、パウチ容器Ａ１ｎを拡開する際に、折り曲げ容易線ＦＬに沿うように表面シート１Ａ及び裏面シート１Ｂを折り曲げることが可能である。
【００８７】
第１１〜第１３変形例から理解されるように、表面シート１Ａ、裏面シート１Ｂ、第１シート２Ａ、第２シート２Ｂ、第３シート３Ａ及び第４シート３Ｂに折り曲げ容易線ＦＬを設定しうる折り曲げ形成部を設けることにより、拡開をより適切に行うことができる。折り曲げ形成部としては、途絶部６５１１Ａ、切り欠き部６５１２Ａ及び段差部６５１３Ａが例示されるほか、表面シート１Ａ、第１シート２Ａ、裏面シート１Ｂ、第２シート２Ｂ、第３シート３Ａ及び第４シート３Ｂの少なくともいずれかに切り欠き部を設ける構成、表面シート１Ａ、第１シート２Ａ、裏面シート１Ｂ、第２シート２Ｂ、第３シート３Ａ及び第４シート３Ｂの少なくともいずれかにミシン目線を設ける構成、上下方向に沿うシール部を設ける構成、等が挙げられる。折り曲げ形成部は、上述した構成によって、部分的に剛性を高めるまたは低下させることにより、折り曲げ容易線ＦＬを設定可能なものであればよい。
【００８８】
以上に述べた第１〜第１３変形例の各部の構成は、互いに組み合わせて適宜採用することが可能であり、また、以下に述べる実施形態にも適宜組み合わせることができる。
【００８９】
＜第２実施形態＞
図２９及び図３０は、本発明の第２実施形態に係るパウチ容器を示している。図２９は、本実施形態のパウチ容器Ａ２を示す要部正面図である。図３０は、図２９のＸＸＸ−ＸＸＸ線に沿う断面図である。パウチ容器Ａ２においては、上述した実施形態における第３シート３Ａ及び第４シート３Ｂを備えていない。
【００９０】
第１シート２Ａは、その全体が表面シート１Ａと直接対向しており、第２シート２Ｂは、その全体が裏面シート１Ｂと直接対向している。第１シート２Ａおよび第２シート２Ｂの下端縁は、折り返し部や接合部等に繋がっていない。第１シート２Ａの下端縁は、少なくとも一部が、表面シート１Ａに繋がっていない。また、第２シート２Ｂの下端縁は、少なくとも一部が、裏面シート１Ｂに繋がっていない。図示された例においては、第１シート２Ａの下端縁が、側方シール部６２と第１側方接合部６５２Ａとの間において表面シート１Ａに繋がっていない。また第２シート２Ｂの下端縁が、側方シール部６２と第２側方接合部６５２Ｂとの間において裏面シート１Ｂに繋がっていない。
【００９１】
このような実施形態によっても、よりスムーズに開口部５２を拡開することができる。また、第３シート３Ａ及び第４シート３Ｂを備えていないことにより、第１シート２Ａ及び第２シート２Ｂがより変形しやすく、開口部５２をよりスムーズに拡開するのに寄与する。
【００９２】
＜第２実施形態  第１変形例＞
図３１及び図３２は、パウチ容器Ａ２の第１変形例を示している。本変形例のパウチ容器Ａ２ａにおいては、第１接合部６５Ａが第１下方接合部６５４Ａを有している。本実施形態の第１下方接合部６５４Ａは、第１シート２Ａの下端部の一部と表面シート１Ａとが接合されることにより形成されている。第１下方接合部６５４Ａは、上下方向において第１挿入口５Ａよりも下方に位置している。また、第１下方接合部６５４Ａは、第１シート２Ａの幅方向略中央に設けられている。また、第１下方接合部６５４Ａは、点形状であり、図示された例においては、矩形状である。なお、第１下方接合部６５４Ａの形状は、矩形状以外の多角形状や円形状等であってもよい。第１下方接合部６５４Ａを形成する接合方法は特に限定されず、ヒートシールや接着剤等を適宜採用すればよい。図示された例においては、第１下方接合部６５４Ａは、接着剤を用いることによって形成されている。また、同様に、第２接合部６５Ｂが、第２下方接合部６５４Ｂを有している。
【００９３】
このような変形例によれば、第１シート２Ａの下端縁が表面シート１Ａから極端に離れてしまうことを回避可能であり、栄養剤の飛沫等が指に付着することを抑制することができる。
【００９４】
＜第２実施形態  第２変形例＞
図３３及び図３４は、パウチ容器Ａ２の第２変形例を示している。本変形例のパウチ容器Ａ２ｂにおいては、第１接合部６５Ａが第１中間接合部６５３Ａをさらに有している。第１中間接合部６５３Ａは、上述のパウチ容器Ａ１ｉにおける第１中間接合部６５３Ａと略同様の構成である。また、同様に、第２接合部６５Ｂが、第２中間接合部６５３Ｂを有している。
【００９５】
このような変形例によれば、開口部５２を拡開する際に、表面シート１Ａと第１シート２Ａとが、極端に離れすぎてしまうことを抑制することが可能であり、栄養剤の飛沫等が指に付着することを抑制することができる。
【００９６】
以降の説明において参照する図３５〜図４２は、パウチ容器Ａ２の変形例を正面からみた図であり、主に表面シート１Ａ、第１シート２Ａ及びこれらの関連箇所を具体的に説明するが、同様の構成は、背面から見た場合の裏面シート１Ｂ、第２シート２Ｂ及びこれらの関連箇所に適宜採用可能である。ただし、裏面シート１Ｂ、第２シート２Ｂ及びこれらの関連箇所の構成は、表面シート１Ａ、第１シート２Ａ及びこれらの関連箇所の構成と同一であってもよいし、異なっていてもよい。
【００９７】
＜第２実施形態  第３変形例＞
図３５は、パウチ容器Ａ２の第３変形例を示している。本変形例のパウチ容器Ａ２ｃは、２つの第１中間接合部６５３Ａを有している。また、パウチ容器Ａ２ｃは、表面シート１Ａと第１シート２Ａとの上端部同士が、第１上方接合部６５１Ａによって接合されている。また、図示された例は、第１シート２Ａを構成するシートの両面と、第２シート２Ｂを構成するシートの両面とが、いずれもシーラント層によって形成されている。このため、上述の貫通孔２１０Ａ，２１０Ｂおよび切り欠き３１０Ａ，３１０Ｂは設けられていない。ただし、第１シート２Ａ及び第２シート２Ｂの片面がベースフィルム層によって形成され、貫通孔２１０Ａ，２１０Ｂおよび切り欠き３１０Ａ，３１０Ｂを有する構成を適宜採用してもよい。また、第１折り返し部１５Ａ及び第２折り返し部１５Ｂを有する構成でもよい。これらの点は、後述のパウチ容器Ａ２ｄ〜Ａ２ｊにおいても同様である。
【００９８】
本変形例においては、２つの第１中間接合部６５３Ａが、容器幅方向中央付近において互いに並んで配置されている。２つの第１中間接合部６５３Ａの容器上下方向における位置は、略同じであり、第１挿入口５Ａの容器上下方向中央に対して若干下方に位置している。また、本変形例の第１中間接合部６５３Ａは、円形状である。
【００９９】
このような変形例によれば、表面シート１Ａと第１シート２Ａとが、容器幅方向におけるより広い領域において、２つの第１中間接合部６５３Ａによって固定される。このため、開口部５２を拡開する際に、表面シート１Ａと第１シート２Ａとが、極端に離れすぎてしまうことを抑制するのに好ましい。
【０１００】
＜第２実施形態  第４変形例＞
図３６は、パウチ容器Ａ２の第４変形例を示している。本変形例のパウチ容器Ａ２ｄは、２つの第１中間接合部６５３Ａと１つの第１下方接合部６５４Ａとを有する。２つの第１中間接合部６５３Ａの配置は、たとえば上述したパウチ容器Ａ２ｃの２つの第１中間接合部６５３Ａの配置と同様である。第１下方接合部６５４Ａは、容器上下方向において第１挿入口５Ａよりも下方に位置しており、言い換えると第１挿入口５Ａの下端を通る下端線ＢＬよりも下方に位置している。本変形例においては、第１下方接合部６５４Ａが、容器幅方向において、第１挿入口５Ａよりも左方に位置している。
【０１０１】
このような変形例によっても、開口部５２を拡開する際に、表面シート１Ａと第１シート２Ａとが、極端に離れすぎてしまうことを抑制可能である。また、指を挿入して指の大きさの分だけ表面シート１Ａや第１シート２Ａが撓んだとしても、第１挿入口５Ａの付近において表面シート１Ａと第１シート２Ａとが、極端に離れすぎてしまうことを抑制することができ、第１挿入口５Ａの左下方において表面シート１Ａと第１シート２Ａとが離間することを防止することができる。
【０１０２】
＜第２実施形態  第５変形例＞
図３７は、パウチ容器Ａ２の第５変形例を示している。本変形例のパウチ容器Ａ２ｅは、２つの第１中間接合部６５３Ａを有する。図中左斜め上に位置する第１中間接合部６５３Ａは、第１シート２Ａの幅方向略中央に設けられている。また、第１中間接合部６５３Ａは、第１挿入口５Ａの容器上下方向中心に対して下方に配置されている。この第１中間接合部６５３Ａは、例えば図３６のパウチ容器Ａ２ｄの第１中間接合部６５３Ａと同様の円形状であり、パウチ容器Ａ２ｄの第１中間接合部６５３Ａよりも直径が大きい。図中右斜め下に位置する第１中間接合部６５３Ａは、下端を通る下端線ＢＬと交差している。この第１中間接合部６５３Ａは、楕円形状とされており、長軸方向が図中左斜め上と右斜め下とに延びる形状である。また、この第１中間接合部６５３Ａは、容器幅方向において、第１挿入口５Ａよりも左方に位置している。
【０１０３】
このような変形例によっても、開口部５２を拡開する際に、表面シート１Ａと第１シート２Ａとが、極端に離れすぎてしまうことを抑制可能である。また、円形の第１中間接合部６５３Ａが例えば図３６のパウチ容器Ａ２ｄの第１中間接合部６５３Ａよりも大きいことにより、接合強度を高めることができる。同様に、楕円形状の第１中間接合部６５３Ａを採用することにより、接合強度を高めることができる。第１中間接合部６５３Ａのサイズを大きくすることによって、より容易に製造することができる。また、楕円形の第１中間接合部６５３Ａが斜めに設けられていることにより、例えば、第１挿入口５Ａに指を挿入する際に、楕円形の第１中間接合部６５３Ａの長軸方向に沿って指を挿入しやすいという利点がある。
【０１０４】
＜第２実施形態  第６変形例＞
図３８は、パウチ容器Ａ２の第６変形例を示している。本変形例のパウチ容器Ａ２ｆは、１つの第１中間接合部６５３Ａと１つの第１下方接合部６５４Ａとを有する。第１中間接合部６５３Ａは、上述のパウチ容器Ａ２ｅの第１中間接合部６５３Ａと略同様の構成である。本変形例の第１下方接合部６５４Ａは、上述のパウチ容器Ａ２ｅの楕円形状の第１中間接合部６５３Ａと略同様の形状及び大きさであり、容器幅方向における位置も略同じである。この第１下方接合部６５４Ａは、上述のパウチ容器Ａ２ｅの楕円形状の第１中間接合部６５３Ａとは異なり、第１挿入口５Ａの下端を通る下端線ＢＬよりも容器上下方向において下方に位置している。
【０１０５】
このような変形例によっても、開口部５２を拡開する際に、表面シート１Ａと第１シート２Ａとが、極端に離れすぎてしまうことを抑制可能である。また、第１下方接合部６５４Ａを設けることにより、第１シート２Ａの容器上下方向における下端が過度に開いてしまうことを抑制することができる。
【０１０６】
＜第２実施形態  第７変形例＞
図３９は、パウチ容器Ａ２の第７変形例を示している。本変形例のパウチ容器Ａ２ｇは、上述したパウチ容器Ａ２ｄと同様に、２つの第１中間接合部６５３Ａと１つの第１下方接合部６５４Ａとを有する。本変形例においては、第１下方接合部６５４Ａは、容器幅方向における位置が、第１挿入口５Ａの一部と重なる配置となっている。すなわち、第１下方接合部６５４Ａは、第１挿入口５Ａの直下に位置している。また、本変形例の第１下方接合部６５４Ａは、円形状である。
【０１０７】
このような変形例によっても、開口部５２を拡開する際に、表面シート１Ａと第１シート２Ａとが、極端に離れすぎてしまうことを抑制可能であり、特に第１挿入口５Ａの下方において表面シート１Ａと第１シート２Ａとが離間することを防止することができる。
【０１０８】
＜第２実施形態  第８変形例＞
図４０は、パウチ容器Ａ２の第８変形例を示している。本変形例のパウチ容器Ａ２ｈは、３つの第１中間接合部６５３Ａを有している。２つの第１中間接合部６５３Ａは、パウチ容器Ａ２ｃの２つの第１中間接合部６５３Ａと略同様の配置である。もう一つの第１中間接合部６５３Ａは、２つの第１中間接合部６５３Ａよりも容器方向下方に位置しており、第１挿入口５Ａの下端付近に位置している。この第１中間接合部６５３Ａは、下端線ＢＬと交差している。また、この第１中間接合部６５３Ａは、左方の２つの第１中間接合部６５３Ａよりも容器幅方向において右方に位置しており、左方の２つの第１中間接合部６５３Ａとの距離よりも、第１挿入口５Ａとの距離の方が短い。
【０１０９】
このような変形例によっても、開口部５２を拡開する際に、第１挿入口５Ａの付近において表面シート１Ａと第１シート２Ａとが、極端に離れすぎてしまうことを抑制することができる。
【０１１０】
＜第２実施形態  第９変形例＞
図４１は、パウチ容器Ａ２の第９変形例を示している。本変形例のパウチ容器Ａ２ｉは、４つの第１中間接合部６５３Ａを有している。４つの第１中間接合部６５３Ａは、容器上下方向において第１挿入口５Ａの下端付近に位置しており、下端線ＢＬと交差している。また、４つの第１中間接合部６５３Ａは、容器幅方向に沿って一列に略等ピッチで配置されている。このような変形例によれば、開口部５２を拡開する際に、パウチ容器Ａ２の容器幅方向全域において表面シート１Ａと第１シート２Ａとが、極端に離れすぎてしまうことをより確実に抑制することができる。
【０１１１】
＜第２実施形態  第１０変形例＞
図４２は、パウチ容器Ａ２の第１０変形例を示している。本変形例のパウチ容器Ａ２ｊは、４つの第１中間接合部６５３Ａを有している。４つの第１中間接合部６５３Ａは、容器上下方向位置及び容器幅方向位置が互いに異なる。容器幅方向において最も左方に位置する第１中間接合部６５３Ａは、第１挿入口５Ａの容器上下方向中央に近い位置にあり、当該中央よりも若干下方に位置している。容器幅方向において左方から２番目に位置する第１中間接合部６５３Ａは、容器方向上下方向において４つの第１中間接合部６５３Ａの中で最も上方に位置しており、第１挿入口５Ａの容器上下方向中央に近く、当該中央よりも若干上方に位置している。容器幅方向において左方から３番目に位置する第１中間接合部６５３Ａは、容器上下方向において既述した２つの第１下方接合部６５４Ａよりも下方に位置している。容器幅方向において左方から４番目に位置する第１中間接合部６５３Ａは、容器上下方向において最も下方に位置しており、第１挿入口５Ａの下端付近に位置し、下端線ＢＬと交差している。
【０１１２】
このような変形例によれば、開口部５２を拡開する際に、表面シート１Ａと第１シート２Ａとが、極端に離れすぎてしまうことを抑制可能であることに加えて、左方から２番目の第１中間接合部６５３Ａによって、第１挿入口５Ａから挿入した指が、それ以上容器幅方向左方に進入することを規制することができる。これにより、第１挿入口５Ａから挿入される指を、所望の姿勢となるように導くことができる。
【０１１３】
なお、これらの変形例から理解されるように、第１中間接合部６５３Ａ及び第１下方接合部６５４Ａの個数や配置は、特に限定されず、また、互いに組合せて設けられてもよい。
【０１１４】
本発明に係るパウチ容器は、上述した実施形態に限定されるものではない。本発明に係るパウチ容器の各部の具体的な構成は、種々に設計変更自在である。
【符号の説明】
【０１１５】
Ａ１，Ａ１ａ，Ａ１ｂ，Ａ１ｃ，Ａ１ｄ，Ａ１ｅ，Ａ１ｆ，Ａ１ｇ，Ａ１ｈ，Ａ１ｉ，Ａ１ｊ，Ａ１ｋ，Ａ１ｍ，Ａ１ｎ，Ａ２，Ａ２ａ，Ａ２ｂ，Ａ２ｃ，Ａ２ｄ，Ａ２ｅ，Ａ２ｆ，Ａ２ｇ，Ａ２ｈ，Ａ２ｉ，Ａ２ｊ：パウチ容器
１Ａ      ：表面シート
１Ｂ      ：裏面シート
２Ａ      ：第１シート
２Ｂ      ：第２シート
３Ａ      ：第３シート
３Ｂ      ：第４シート
１Ａｚ，１Ｂｚ，２Ａｚ，２Ｂｚ，３Ａｚ，３Ｂｚ：長尺体
４Ａ      ：第１内部空間
４Ｂ      ：第２内部空間
５Ａ      ：第１挿入口
５Ｂ      ：第２挿入口
６ｚ      ：シール部
１０      ：パウチ容器
１１Ａ    ：第１切り欠き
１２Ａ    ：第１切り込み
１２Ｂ    ：第２切り込み
１３Ａ    ：第１舌片
１３Ｂ    ：第２舌片
１５Ａ    ：第１折り返し部
１５Ｂ    ：第２折り返し部
１８Ｂｚ，１９Ｂｚ：折返し線
２５Ａ    ：第３シート折り返し部
２５Ｂ    ：第４シート折り返し部
５１      ：充填部
５２      ：開口部
５３      ：チャック
５３ｚ    ：長尺体
５４      ：注出部
６１      ：底シール部
６２      ：側方シール部
６３      ：注出シール部
６５Ａ    ：第１接合部
６５Ｂ    ：第２接合部
６５Ａｚ，６５Ｂｚ：シール部
７１      ：吊り下げ孔
７２      ：係止部
２１０Ａ  ：貫通孔
２１０Ｂ  ：貫通孔
３１０Ａ，３１０Ｂ：切り欠き
３２０Ｂ  ：貫通孔
６５１Ａ  ：第１上方接合部
６５１１Ａ：途絶部
６５１２Ａ：切り欠き部
６５１３Ａ：屈曲部
６５１Ｂ  ：第２上方接合部
６５２Ａ  ：第１側方接合部
６５２Ｂ  ：第２側方接合部
６５３Ａ  ：第１中間接合部
６５３Ｂ  ：第２中間接合部
６５４Ａ  ：第１下方接合部
６５４Ｂ  ：第２下方接合部
ＣＬ      ：切断線
【図１】
2019043674.tif 000003
【図２】
2019043674.tif 000004
【図３】
2019043674.tif 000005
【図４】
2019043674.tif 000006
【図５】
2019043674.tif 000007
【図６】
2019043674.tif 000008
【図７】
2019043674.tif 000009
【図８】
2019043674.tif 000010
【図９】
2019043674.tif 000011
【図１０】
2019043674.tif 000012
【図１１】
2019043674.tif 000013
【図１２】
2019043674.tif 000014
【図１３】
2019043674.tif 000015
【図１４】
2019043674.tif 000016
【図１５】
2019043674.tif 000017
【図１６】
2019043674.tif 000018
【図１７】
2019043674.tif 000019
【図１８】
2019043674.tif 000020
【図１９】
2019043674.tif 000021
【図２０】
2019043674.tif 000022
【図２１】
2019043674.tif 000023
【図２２】
2019043674.tif 000024
【図２３】
2019043674.tif 000025
【図２４】
2019043674.tif 000026
【図２５】
2019043674.tif 000027
【図２６】
2019043674.tif 000028
【図２７】
2019043674.tif 000029
【図２８】
2019043674.tif 000030
【図２９】
2019043674.tif 000031
【図３０】
2019043674.tif 000032
【図３１】
2019043674.tif 000033
【図３２】
2019043674.tif 000034
【図３３】
2019043674.tif 000035
【図３４】
2019043674.tif 000036
【図３５】
2019043674.tif 000037
【図３６】
2019043674.tif 000038
【図３７】
2019043674.tif 000039
【図３８】
2019043674.tif 000040
【図３９】
2019043674.tif 000041
【図４０】
2019043674.tif 000042
【図４１】
2019043674.tif 000043
【図４２】
2019043674.tif 000044